(57)【特許請求の範囲】
【請求項１】
挿入部先端を構成する金属製の先端部材を電気絶縁性の絶縁カバーで被覆し、前記絶縁カバーに設けられ、送気または送水の少なくとも一方がなされる流体管路を構成するためのノズル用貫通孔と、前記絶縁カバーに設けられ、対物観察ユニット、照明レンズユニット、または処置具挿通用管の少なくとも一つを支持するための一つ以上のカバー側貫通孔と、前記ノズル用貫通孔に嵌合され、送気または送水の少なくとも一方がなされる金属製のノズルと、前記挿入部に連結される操作部を有する内視鏡において、
前記絶縁カバーにおける前記ノズル用貫通孔が貫通される部分を、このノズル用貫通孔に嵌合される前記ノズルの操作部側端部よりも操作部側に突出して構成すると共に、前記ノズル用貫通孔の軸方向の長さを前記カバー側貫通孔の軸方向の長さよりも長く形成したことを特徴とする内視鏡。
【請求項２】
挿入部先端を構成する金属製の先端部材を電気絶縁性の絶縁カバーで被覆し、前記絶縁カバーに設けられ、送気または送水の少なくとも一方がなされる流体管路を構成するためのノズル用貫通孔と、前記絶縁カバーに設けられ、対物観察ユニットを支持するためのカバー側貫通孔と、前記ノズル用貫通孔に嵌合され、送気または送水の少なくとも一方がなされる金属製のノズルと、前記挿入部に連結される操作部を有する内視鏡において、
前記絶縁カバーにおける前記ノズル用貫通孔が貫通される部分を、このノズル用貫通孔に嵌合される前記ノズルの操作部側端部よりも操作部側に突出して構成すると共に、前記ノズル用貫通孔の軸方向の長さを前記カバー側貫通孔の軸方向の長さよりも長く形成し、
さらに、前記先端部材には、前記カバー側貫通孔に対向して連通するように配置され前記対物観察ユニットを支持する本体側貫通孔が設けられ、前記対物観察ユニットを着脱自在に係止するための固定ねじにおけるねじ孔を前記ノズル用貫通孔の前記操作部側端部よりも先端側に設けたことを特徴とすることを特徴とする内視鏡。
【請求項３】
挿入部先端を構成する金属製の先端部材を電気絶縁性の絶縁カバーで被覆し、前記絶縁カバーに設けられ、送気または送水の少なくとも一方がなされる流体管路を構成するためのノズル用貫通孔と、対物観察ユニット、照明レンズユニット、または処置具挿通用管の少なくとも一つを支持するための一つ以上のカバー側貫通孔と、前記ノズル用貫通孔に嵌合され、送気または送水の少なくとも一方がなされる金属製のノズルと、前記挿入部に連結される操作部とを有する内視鏡において、
前記絶縁カバーにおける前記ノズル用貫通孔が貫通される部分に、このノズル用貫通孔に嵌合される前記ノズルの操作部側端部よりも操作部側に突出する突出部を形成し、前記ノズル用貫通孔に嵌合される前記ノズルの嵌合長を、前記カバー側貫通孔の軸方向の長さよりも長く形成したことを特徴とする内視鏡。
【発明の詳細な説明】
【０００１】
【産業上の利用分野】
本発明は、金属製のノズルが装着される絶縁カバーを挿入部先端部に有するに内視鏡に関するものである。
【０００２】
【従来の技術】
内視鏡の分野において高周波処置を行う場合、体腔内で火傷を起こさぬように、先端部本体から先端カバーは電気的に絶縁されている。
【０００３】
従来技術としては実開昭６０−１５５２５号公報があり、この構成は、金属製の先端部本体の表面を電気絶縁性を有する樹脂製の絶縁カバーで被覆しているものである。さらに、前記絶縁カバーの先端側表面から露出する金属製対物洗浄ノズルが、絶縁筒を介して前記絶縁カバーと先端部本体の貫通孔内に設けられている。
【０００４】
また、実公平４−８８８１号公報には、金属製の先端部本体の表面を電気絶縁性を有する樹脂製の絶縁カバーで被覆していると共に、前記絶縁カバーの先端表面から露出する金属製対物洗浄ノズルが、軸部の長さを絶縁カバーの厚さより短く形成し絶縁カバー貫通孔内に設けている。
【０００５】
内視鏡の分野では、挿入部は患者の苦痛低減や挿入性の向上のため、機能を損なわない範囲で、限りなく細径化を図る必要がある。内視鏡の先端の対物洗浄ノズルは、使用中に体腔内の残渣の影響や、使用後行う洗浄及び消毒が十分行われなかった場合には、ノズルの口元が詰まることがある。その際、対策として対物洗浄ノズルを交換することが考えられる。
【０００６】
実開昭６０−１５５２５号公報では、対物洗浄ノズルの交換を可能とし、先端部本体の外周からノズル嵌合孔に連通するネジ孔を設け、このノズル嵌合孔に挿入した対物洗浄ノズルをネジ孔にビスを螺合させて固定する技術が開示されている。
【０００７】
また、先端部本体に嵌合するビスと内視鏡外周部までの隙間に、接着剤を充填していた。
【０００８】
しかしながら、実開昭６０−１５５２５号公報の内視鏡では、対物洗浄ノズルの固定部分では、ネジ孔加工が必要である。ネジ孔は加工時に孔周囲に応力がかかるため、先端部本体の外周との肉厚は比較的大きく設定しなくてはならない。このため先端部本体の外周とネジ孔の肉厚が大きくなり、内視鏡先端部径が太径化するという欠点がある。
【０００９】
このようなことから、内視鏡先端部径を細径化し、患者の苦痛を低減し良好な挿入性を得ることができ、リペア性の良い内視鏡を提供する。
【００１０】
一方、一般に内視鏡は、体液に触れるため、洗浄を頻繁に行う先端挿入部には、信頼性の高い気密構造が必要である。
【００１１】
このため特開昭６１−１０７２１０号公報では、気密構造として対物観察ユニットは、外表面に露出する対物第１レンズとその直後に配置される光線カットフィルタ、絶縁カバーと直接嵌合させ、その嵌合部の隙間に接着剤を気密的に充填していた。
【００１２】
しかしながら、特開昭６１−１０７２１０号公報は、対物第１レンズとその直後に連結される光線カットフィルタが絶縁カバーに接着されているため、対物観察ユニットを補修交換することが困難であった。
【００１３】
絶縁カバーに接着固定された対物第１レンズとその直後に連結される光線カットフィルタを補修交換するため、絶縁カバーと対物第１レンズとその直後に連結され  る光線カットフィルタの接着に接着強度が低く柔らかい接着剤を使用することが考えられるが、この場合、絶縁カバーからの取り外し性は良好だが、絶縁カバーから露出する接着剤の表面が柔らかいため、表面が荒れやすく、このため接着剤表面に汚物が付着しやすく洗浄に手間がかかっていた。
【００１４】
逆に接着剤の表面が硬く、接着強度が高いものに変更すると、接着剤は硬化後表面に傷がつき難く、滑らかな表面になるので汚物が付着し難くなるが、接着強度が高いので絶縁カバーからの取り外し性が悪化し、補修交換に時間がかかっていた。
【００１５】
このため、対物観察ユニットに代表される補修交換が必要な先端構成部材に関して、取り外し性と洗浄性に優れた構成が望まれている。
【００１６】
【発明が解決しようとする課題】
実開昭６０−１５５２５号公報に記載のものは、金属製の対物洗浄ノズル外側に絶縁筒を被覆する必要があり、絶縁筒の肉厚分だけ対物洗浄ノズル軸部の径が増し、結果的に内視鏡の先端部径を太くしてしまうという欠点がある。
【００１７】
一方、従来より、補修交換を行う先端構成部材の一例としての対物観察ユニットを絶縁カバーへ接着により固定しており、補修交換時、対物観察ユニットを外すのに手間がかかっていた。これに対して  実公平４−８８８１号公報に記載のものは、簡単に着脱自在とするため、対物観察ユニットをビスで固定しようとする試みであり、樹脂製の絶縁カバーにネジ孔を設けていた。この場合にネジ孔の強度確保のため、金属製部材にビス孔加工するより、螺合長を長くする必要がある。また強度上、絶縁カバーは径方向にスペースが必要となり、結果的に内視鏡の先端径を太くしてしまう欠点があった。
【００１８】
本発明は前記事情にかんがみてなされたもので、ノズルを絶縁でき、かつ内視鏡の先端径を細径化することで、患者の苦痛を低減し良好な挿入性を得ることができる内視鏡を提供することを目的としている。
【００１９】
【課題を解決するための手段】
本発明による第１の内視鏡は、挿入部先端を構成する金属製の先端部材を電気絶縁性の絶縁カバーで被覆し、前記絶縁カバーに設けられ、送気または送水の少なくとも一方がなされる流体管路を構成するためのノズル用貫通孔と、前記絶縁カバーに設けられ、対物観察ユニット、照明レンズユニット、または処置具挿通用管の少なくとも一つを支持するための一つ以上のカバー側貫通孔と、前記ノズル用貫通孔に嵌合され、送気または送水の少なくとも一方がなされる金属製のノズルと、前記挿入部に連結される操作部を有する内視鏡において、前記絶縁カバーにおける前記ノズル用貫通孔が貫通される部分を、このノズル用貫通孔に嵌合される前記ノズルの操作部側端部よりも操作部側に突出して構成すると共に、前記ノズル用貫通孔の軸方向の長さを前記カバー側貫通孔の軸方向の長さよりも長く形成したことを特徴とする。
本発明による第２の内視鏡は、挿入部先端を構成する金属製の先端部材を電気絶縁性の絶縁カバーで被覆し、前記絶縁カバーに設けられ、送気または送水の少なくとも一方がなされる流体管路を構成するためのノズル用貫通孔と、前記絶縁カバーに設けられ、対物観察ユニットを支持するためのカバー側貫通孔と、前記ノズル用貫通孔に嵌合され、送気または送水の少なくとも一方がなされる金属製のノズルと、前記挿入部に連結される操作部を有する内視鏡において、前記絶縁カバーにおける前記ノズル用貫通孔が貫通される部分を、このノズル用貫通孔に嵌合される前記ノズルの操作部側端部よりも操作部側に突出して構成すると共に、前記ノズル用貫通孔の軸方向の長さを前記カバー側貫通孔の軸方向の長さよりも長く形成し、さらに、前記先端部材には、前記カバー側貫通孔に対向して連通するように配置され前記対物観察ユニットを支持する本体側貫通孔が設けられ、前記対物観察ユニットを着脱自在に係止するための固定ねじにおけるねじ孔を前記ノズル用貫通孔の前記操作部側端部よりも先端側に設けたことを特徴とすることを特徴とする。
本発明による第３の内視鏡は、挿入部先端を構成する金属製の先端部材を電気絶縁性の絶縁カバーで被覆し、前記絶縁カバーに設けられ、送気または送水の少なくとも一方がなされる流体管路を構成するためのノズル用貫通孔と、対物観察ユニット、照明レンズユニット、または処置具挿通用管の少なくとも一つを支持するための一つ以上のカバー側貫通孔と、前記ノズル用貫通孔に嵌合され、送気または送水の少なくとも一方がなされる金属製のノズルと、前記挿入部に連結される操作部とを有する内視鏡において、前記絶縁カバーにおける前記ノズル用貫通孔が貫通される部分に、このノズル用貫通孔に嵌合される前記ノズルの操作部側端部よりも操作部側に突出する突出部を形成し、前記ノズル用貫通孔に嵌合される前記ノズルの嵌合長を、前記カバー側貫通孔の軸方向の長さよりも長く形成したことを特徴とする。
【００２０】
【作  用】
本発明では、先端部本体を金属により形成し、その外部露出表面を電気絶縁性の絶縁カバーで被覆した内視鏡において、ノズルの操作部側端部よりも操作部側に突出するように形成される絶縁カバーのノズル用貫通孔に、金属製の前記ノズルを嵌合することで、ノズルを絶縁カバーによって先端部本体から絶縁して配置すると共に、前記絶縁カバーのノズル用貫通孔が貫通される部分を、該ノズル用貫通孔に嵌合される前記ノズルの操作部側端部よりも操作部側に突出させ、貫通孔の軸方向の長さを前記カバー側貫通孔の軸方向の長さよりも長く形成する。
【００２１】
【実施例】
図を参照して本発明の実施例について、以下に説明する。
図１ないし図９は本発明の第１実施例に係り、図１は内視鏡挿入部先端の縦断面図、図２は内視鏡システムの概略構成図、図３は照明系を含む挿入部先端の縦断面図、図４はノズルを含む部分拡大断面図、図５はチャンネルの開口端の部分拡大断面図、図６は対物光学系を含む部分拡大断面図、図７は図１のＡ−Ａ線断面図、図８は係止ピンとノズルの係止を示す部分拡大断面図、図９は図８と異なる構成の部分拡大断面図である。
【００２２】
図２に示す内視鏡システム７９は内視鏡８０を有し、この内視鏡８０は、細長く可撓性を有する挿入部８１と、この挿入部８１の手元側に連結された操作部８２とを備えている。
【００２３】
前記挿入部８１の先端側には、硬性の先端部８３が設けられこの先端部８３に隣接して湾曲可能な湾曲部８４が設けられている。
【００２４】
前記操作部８２は、その先端側側部に図示しない挿通チャンネルに連通する挿入口８５が設けられ、手元側側部には、その回動により湾曲部８４を湾曲操作する湾曲操作ノブ８６が設けられている。さらに操作部８２は、その手元側側部から、側方に可撓性を有するケーブル８７が延出され、このケーブル８７の端部にはコネクタ８８が設けられている。
【００２５】
前記内視鏡８０は、前記コネクタ８８及びケーブル８７を介して観察用の照明光源を備えた光源装置及び映像信号処理回路が内蔵された制御装置８９に接続されるようになっている。前記制御装置８９には、表示手段としてカラーＣＲＴモニタ９１が映像信号ケーブル９０によって接続されている。
【００２６】
図１に挿入部８１の先端部８３の詳しい構成を断面図で示す。
前記先端部８３を構成する先端部本体１には、後述する各種の部材、例えば観察系、照明光伝達系及び送気又は送水の少なくとも一方がなされる管路等が組み込まれている。尚、ここで述べる先端部本体１は、例えばステンレス等の金属材からなる。
【００２７】
一方、前記湾曲部８４は金属材、例えばステンレスパイプ等からなる複数の湾曲用駒９２，９３を互いにリベット９４で回動自在に連結して、湾曲用駒９２，９３の外周に、電気絶縁性の合成樹脂製の外皮９５、例えばフッ素ゴム、ＥＰＴ等を被覆してなるものである。
【００２８】
前記先端部本体１の先端面及び先端側外周面には、電気絶縁性の材料からなる、例えばポリサルフォン等の絶縁カバー２が被嵌されている。
【００２９】
前記先端部本体１及び絶縁カバー２には、挿入部軸方向に、対物観察ユニット２１が補修交換のため着脱自在に取り付けられている。この対物観察ユニット２１は、その先端に対物第１レンズ２２ａを配置している。
【００３０】
図１に示すように、絶縁カバー２はほぼキャップ状に形成されており、先端部本体先端側端部１ａと絶縁カバー手元側端部２ａとは、各突き当て面４において当接するようになっている。前記絶縁カバー２は、突き当て面４よりさらに手元側に突出した絶縁カバー突き出し凸部５が設けられている。
【００３１】
前記絶縁カバー２は、前記絶縁カバー突き出し凸部５の位置で、挿入部軸方向にノズル用貫通孔３を設けており、このノズル用貫通孔３には、対物観察ユニット２１の対物第１レンズ２２ａ面を洗浄する対物洗浄ノズル３１が嵌合し、図７に示す係止ピン３２によって絶縁カバー２内に係止されるようになっている。前記ノズル用貫通孔３の先端部近傍には、段部が設けられており、この段部が対物洗浄ノズル３１の段部と当接し、これらが位置決め当接部６となって軸方向の位置決めをしている。前記絶縁カバー突き出し凸部５の位置に形成されたノズル用貫通孔３の長さは、図１及び図４に示すように、ｒ１  となっている。
なお、接着剤、例えばシリコン系等をノズル用貫通孔３に塗布して絶縁カバー２と、対物洗浄ノズル３１とを接着し補強しても良い。
【００３２】
前記絶縁カバー突き出し凸部５には、対物洗浄ノズル３１に送気または送水の少なくとも一方を行うための接続パイプ３３の先端部３３ａが、絶縁カバー２のノズル用貫通孔３手元側に嵌合し、位置決めされ半田付けにより固定されている。
【００３３】
図４に示すように、接続パイプ３３の本体が既に先端部本体１の貫通孔に嵌合・固定しているため、絶縁カバー２には接続パイプ３３の先端部３３ａとの間で隙間７を設け、二重嵌合とならないように逃げを構成している。この隙間７には、接着剤、例えばエポキシ系等を気密的に充填している。
【００３４】
また、接続パイプ３３の後端部３３ｂは、その外周面に、挿入部８１内を挿通される流体チューブ３４の先端側内面が、例えばエポキシ系等の接着剤により固定されている。さらに流体チューブ３４の先端近傍の外周を例えばナイロン製等の糸により部分的に縛り、その糸縛り部３５後部から接続パイプ３３の後端部３３ｂと流体チューブ３４との接着面を密着させるため、熱収縮チューブ３６例えばＦＥＰ等を密着させている。
【００３５】
次に、図３に示すように、前記絶縁カバー２及び先端部本体１には、照明光伝達系を構成する照明レンズユニット４１と、このユニット４１の手元側に設けられた光学繊維束からなるライトガイド４２の先端面とが配置されている。
【００３６】
前記ライトガイド４２の先端は、先端部本体１を貫通する照明系取付孔８に挿入され、先端部本体１内で図示しない固定ビスによって固定されている。
【００３７】
一方、前記照明レンズユニット４１は、先端部本体１を貫通する照明系取付孔８に接着剤、例えばエポキシ系等で固定されている。また、絶縁カバー２には照明系取付孔８と対向する位置に貫通孔９を設けており、この貫通孔９には照明レンズ４３を先端内部に配置した照明レンズユニット４１の先端が接着・固定されている。照明レンズユニット４１の先端近傍外周に設けられた外枠フランジ部４１ａが、照明系取付孔８の先端に設けられた溝に収納され、照明レンズユニット４１の軸方向の位置が決められるようになっている。
【００３８】
貫通孔９と照明レンズ４３との嵌合長はｒ３  であり、接着固定された照明レンズ４３、先端部本体１との二重嵌合による逃げを設けるため、絶縁カバー２には隙間１０を設けている。この隙間１０には、例えばエポキシ系の接着剤が気密的に充填される。
【００３９】
図３に示すように、処置具チャンネルの先端を構成する処置具貫通パイプ４４は、絶縁カバー２を軸方向に貫通したチャンネル孔１１と、先端部本体１を前記チャンネル孔１１に対向する位置で軸方向に貫通した処置具挿通パイプ取付孔１２に嵌合し、位置決めされた後、半田付けにより先端部本体１に固定される。
【００４０】
前記処置具貫通パイプ４４は、先端部本体１の手元側端から手元方向に延出し、この処置具貫通パイプ４４の手元側端の外周には、チャンネルチューブ４５先端側内面が接着され、さらにチャンネルチューブ４５の外周を糸巻により接着面を密着させ固定させる糸巻部４６が設けられている。
【００４１】
図５に詳細を示すように、絶縁カバー２と処置具挿通パイプ４４の先端とは、嵌合長さｒ４  で嵌合し、既に半田付けで固定された処置具挿通パイプ４４と先端部本体１との二重嵌合による逃げを設けるため隙間１３を設けている。この隙間１３は、接着剤例えばエポキシ系等によって気密的に充填される。この隙間１３の先端は、処置具挿通パイプ４４の先端面取部４４ａと前記チャンネル孔１１の口元に形成された面取部２ｂで挟まれており、充填接着剤先端４５は、先端面取部４４ａ，面取部２ｂとほぼ同一面になるように充填される。
【００４２】
図１で示す前記対物観察ユニット２１は、その先端側から前記対物第１レンズ２２ａと対物第２レンズ２２ｂと内設した対物レンズ枠２３を有している。この対物レンズ枠２３は、その外周溝にパッキン２４が取付けられ、さらに先端部本体１に貫通した対物レンズ枠取付孔１４に嵌合するようになっている。この後、対物レンズ枠２３の外周中途に設けられたＶ字溝２３ａには、その２つの斜面のうち先端側に配置された斜面に、対物観察ユニット固定ビス１５の円錐部先端１５ａが突き当てられるようになっている。
【００４３】
前記対物観察ユニット固定ビス１５は、先端部本体１の外周から対物レンズ枠取付孔１４に貫通して設けられたネジ孔１ｂに螺合し、先端部本体１に対物観察ユニット２１を固定するようになっている。
【００４４】
また対物レンズ枠２３挿入時、組付いたパッキン２４がネジ孔１ｂと干渉しないように対物レンズ枠取付孔１４のうちパッキン２４との摺動部分には、ネジ孔１ｂ部を越えて先端側にまでＵ字溝１ｃによる逃げを設けている。
【００４５】
前記Ｕ字溝１ｃによる逃げ部を設けることで対物観察ユニット２１に取付けられたパッキン２４は、対物観察ユニット固定ビス１５より先端方向に配置できる。
【００４６】
図６に詳細を示すように、前記絶縁カバー２は対物レンズ枠２３と嵌合長ｒ２  で嵌合する。絶縁カバー２の嵌合部分には、先端から絶縁カバー段２ｃと絶縁カバー段２ｄの２つの段が設けられている。また、対物レンズ枠２３にも、先端から対物レンズ枠段２３ｃと対物レンズ枠段２３ｄの２つの段が設けられ、絶縁カバー２の段２ｃ，２ｄにそれぞれ対向して配置されている。この絶縁カバー２と対物レンズ枠２３の各２つの段の間には、段差を境界として先端側に隙間１６と、手元側に隙間１７とが形成される。
【００４７】
前記隙間１７には接着剤、例えばシリコン系等が充填される。隙間１６には、段差を境界として接着剤、例えばエポキシ系等が気密的に充填される。
【００４８】
前記対物レンズ枠２３は、対物第２レンズ２２ｂの手元側端近傍から手元方向に拡開するテーパ部２５が設けられ、このテーパ部２５に充填された接着剤の接着溜まり部２６により対物第２レンズ２２ｂの側面が保持されている。
【００４９】
次に、図１のＡ−Ａ線断面である図７に示すように、貫通孔２ｅは、前記絶縁カバー２に設けたノズル用貫通孔３にほぼ直角に連通し、絶縁カバー外周に向かって貫通している。係止ピン３２は前記貫通孔２ｅに嵌合して、嵌合部を接着剤例えばシリコン系等によって固定されるようになっている。
【００５０】
図８に示す係止ピン３２は、絶縁製の樹脂材例えばポリサルフォン等からなり、その外表面側端部３２ａは、絶縁カバーの外周と組付時に一致させるため、円弧状に形成してある。
【００５１】
前記係止ピン３２の外周部端面３２ａは、図７においては外部に露出し、絶縁カバー２と同じ外周形状とするため円弧状に形成されているが、図２で示す外皮９５で外周部端面３２ａを被覆するようにしても良い。前記係止ピン３２は、その側部中途に中空部３２ｃが設けられている。この中空部３２ｃは、貫通孔であっても非貫通孔あっても良い。
【００５２】
一方、係止ピン３２のノズル側端は、対物洗浄ノズル３１の円筒側部に形成された溝状の干渉部３１ａに係合する円弧状のピン先端部３２ｂが形成されている。そして、対物洗浄ノズル３１の着脱方向に対し、直角方向でノズル３１の干渉部３１ａと係合し、絶縁カバー２のノズル用貫通孔３内で対物洗浄ノズル３１を係止するようになっている。
【００５３】
図９には図８に示す係止ピン３２の変形例を示す。図９に示す係止ピン３８は、図８の係止ピン３２と、ピン先端部の形状のみ異なっている。本変形例では図１のノズル３１に代えて設けられたノズル３７が設けられており、このノズル３７はその側部外周に、逆Ｖ字状に形成されたノズル干渉部３７ａが設けられている。図９の係止ピン３８は、ノズル干渉部３７ａの逆Ｖ字の形状に係合するよう、溝が形成されたピン先端部３８ａを有している。その他、図１，図７及び図８と同様の構成及び作用については、同じ符号を付して説明を省略する。
【００５４】
前記構成では、内視鏡の先端部８３は、以下の手順に従い組み立てられる。
【００５５】
図１及び図３に示す接続パイプ３３と処置具挿通パイプ４４を先端部本体１に位置決めして半田付けにより固定する。
【００５６】
次に照明レンズユニット４１の外周に接着剤、例えばエポキシ系を塗布し、先端部本体１に照明レンズユニット４１の外枠フランジ部４１ａが突き当たるまで挿入する。さらに、絶縁カバー２と先端部本体１の突き当て面５に接着剤、例えばエポキシ系を塗布し、両者を接合し硬化させる。
【００５７】
硬化後、図３に示す処置具挿通パイプ４４と絶縁カバー２に設けた処置具挿通パイプ取付孔１１とに設けた隙間１３、照明レンズユニット４１と絶縁カバー２に設けた隙間１０、及び図１に示す接続パイプ３３と絶縁カバー２に設けた隙間７、合計３ケ所に接着剤、例えばエポキシ系を前述の構成になるように気密的に充填し硬化させる。
【００５８】
処置具挿通パイプ４４外周に接着剤、例えばエポキシ系を塗布しチャンネルチューブ４５を嵌合させ、糸例えばナイロン材等でチャンネルチューブ４５の接着部のほぼ全域の外周を糸巻きする。このようにして処置具挿通パイプ４４にチャンネルチューブ４５を密着させ硬化させる。
【００５９】
次に図１に示す接続パイプ３３の後端部３３ｂに例えばエポキシ系接着剤を塗布し、流体チューブ３４を嵌合させ、接着面の先端を、糸例えばナイロン材等のもので部分的に縛り、熱収縮チューブ３６、例えばＦＥＰ材等のもので流体チューブ３４の上から接続パイプ３３端にかけて、加熱して収縮させその後接着剤を硬化させる。
【００６０】
図３に示すライトガイド４２の出射端を先端部本体１に挿入し、照明レンズユニット４１手元側端に突き当て、先端部本体１からのビス（図示しない）で固定し、接着剤、例えばシリコン系等を塗布して補強する。
【００６１】
図１に示す対物観察ユニット２１の対物レンズ枠段２３ｄに接着剤、例えばシリコン系等を塗布し、先端部本体１の突き当てまで挿入し、対物観察ユニット固定ビス１５で固定する。対物観察ユニット２１が絶縁カバー２に嵌合して形成される隙間１６に接着剤、例えばエポキシ系を気密的に充填する。
【００６２】
対物レンズ洗浄ノズル３１軸部外周に接着剤、例えばシリコン系を塗布し対物洗浄ノズル３１と絶縁カバー２の突き当て部６まで挿入する。さらに対物洗浄ノズル３１の開口部３１ｂが対物第１レンズ２２ａ方向に開口するようにして、送気または送水の出射方向を調整する。
【００６３】
また先端部本体１のネジ孔１ｂから対物観察ユニット固定ビス１５を螺合させて対物観察ユニット２１を固定する。図７に示す絶縁カバー２に設けた貫通孔２ｅに接着剤、例えばシリコン系等を塗布し、その孔２ｅに例えば、係止ピン３２等を挿入し先端を例えばノズル干渉部３１ａ等の段部に突き当て、前記接着剤を硬化させる。
【００６４】
これによって対物洗浄ノズル３１は例えば、係止ピン３２等の先端、例えばノズル干渉部３１ａ等が破壊または抜去されるまで絶縁カバー２から抜けない。
【００６５】
図８の係止ピン３２、又は図９の係止ピン３８を抜去する時は、外表面側端面を針状の棒具で破壊する。次に破壊面と係止ピン３２又は係止ピン３８の中空部３２ｃ内部によって形成される引っかかりに、前記の治具を引っかけて係止ピン３２又は係止ピン３８を引き出す。
【００６６】
ところで、図６に示す対物観察ユニット２１の対物レンズ枠２３は、テーパ部２５によって対物第２レンズ２２ｂの接着溜り部２６をレンズ表面から離すことができる。
【００６７】
また、図４に詳細を示す対物洗浄ノズル３１は、絶縁カバー２のノズル用貫通孔３の長さｒ１  によって、先端部本体１から離される。
【００６８】
また図１及び図３に示す絶縁カバー２は対物観察ユニット２１の嵌合長ｒ２  、絶縁カバーと照明レンズユニット４１の嵌合長ｒ３  、絶縁カバーと処置具挿通パイプ４４との嵌合長ｒ４  は、ｒ１  より短くなっている。
【００６９】
本実施例では、金属製の対物洗浄ノズル３１の軸部は、嵌合する絶縁カバー２のノズル用貫通孔３の長さｒ１  が長いことにより、先端部本体１に触ることなく、絶縁カバー２によって絶縁される。対物洗浄ノズル３１の軸部に絶縁筒を被覆する必要がなく、先端部本体１から絶縁できるので、絶縁筒の肉厚分が必要なく内視鏡先端部８３の先端径が細径化できる。
【００７０】
また、その他の先端構成部材と、絶縁カバー２の貫通孔との嵌合長ｒ２  ，ｒ３  ，ｒ４  は前記ｒ１  より短く、これによって、対物観察ユニット２１を代表とする補修交換部材の対物観察ユニット固定ビス１５等のネジ孔１ｂを樹脂製の絶縁カバー２でなく、金属製の先端部本体１に設けることができる。ネジ孔１ｂは強度の高い金属に設けることができるので、ビスの螺合長を長くせずに、対物観察ユニット２１に代表される補修交換部材の固定が可能となる。螺合長が長くならないことから内視鏡８０の先端部８３の先端径が太径化しない。
【００７１】
すなわち、本実施例は、ノズルを絶縁でき、かつ内視鏡の先端径を細径化することで、患者の苦痛を低減し良好な挿入性を得ることができる。
【００７２】
一方、係止ピン３２又は係止ピン３８が嵌合する絶縁カバー２の貫通孔２ｅは、係止ピン３２又は係止ピン３８によってネジ孔加工によらず、対物洗浄ノズル３１、対物洗浄ノズル３７の着脱が容易にできるので、ネジ孔から貫通孔２ｅになったことで、外周部との肉厚を薄肉にできる。
【００７３】
このように貫通孔２ｅと外周部を薄肉にできるため、内視鏡８０の先端部８３の先端径を細径化を図れる。
【００７４】
また対物観察ユニット２１の絶縁カバー２との嵌合部は隙間１６に接着強度が高く、硬化後表面の硬い、例えばエポキシ系等の接着剤を充填するので、接着剤が露出した部分は、表面が硬く滑らかであるため傷がつき難く、接着剤の露出表面に汚物が付着しても洗浄により容易に除去できる。
【００７５】
また、対物レンズ枠段２３ｄには予め接着強度が低い接着剤、例えばシリコン系等が充填されているので隙間１６に充填した接着剤、例えばエポキシ系等の接着剤は、対物レンズ枠段２３ｄ側の隙間１７に浸透せず接着面積は、隙間１６内に限定される。段差を調整し隙間１６を小さく設定することで接着強度の高い前記接着剤の接着範囲を小さく調整できる。接着強度の高い前記接着剤の接着範囲が小さいことで、対物観察ユニット２１は容易に絶縁カバー２から取り外すことができる。以上により、対物観察ユニット２１に代表される先端構成部材は、絶縁カバー２からの取り外し性と、洗浄性を兼ね備えることができる。
【００７６】
一方、図５に示す処置具挿通パイプ先端面取部４４ａと絶縁カバーチャンネル孔口元面取部２ｂに挟まれる充填接着剤先端４５は、上下の面取部に引かれてテーパ状になるので、充填接着剤先端４５に汚物が付着しても洗浄により汚物が溜ることなく容易に流れ出すため洗浄性が向上する。
【００７７】
図１０は第２実施例に係る内視鏡挿入部先端の縦断面図である。
【００７８】
本第２実施例は、流体管路を構成する接続パイプの配置・構成と、対物観察ユニットの取付け及び係止のための構成が第１実施例と異なっている。その他第１実施例と同様の構成及び作用については、同じ符号を付して説明を省略する。
【００７９】
前記絶縁カバー２には対物洗浄ノズル３１が嵌合し、図１に示す貫通孔３と同様のノズル用貫通孔３が設けられており、長さはｒ１  となっている。
【００８０】
前記ノズル用貫通孔３の手元側には、接続パイプ７１の先端部７１ａの外周が嵌合し接着剤、例えばエポキシ系によって固定される。また、接続パイプ７１の中央部は絶縁材からなる絶縁筒７２を介して、金属製の先端部本体１と、接着剤、例えばエポキシ系等で固定される。さらに、接続パイプ７１の後端部７１ｂには前記流体チューブ１０が嵌合するようになっている。
【００８１】
対物洗浄ノズル３１の軸部は、ノズル用貫通孔３の先端側から挿入し、接続パイプ７１の先端部７１ａの太径部内に嵌合するようになっている。
【００８２】
対物観察ユニット２１の先端側は、第１対物レンズ枠７３と第２対物レンズ枠７４の２体構造となっている。両者は合わせ面を接着剤、例えばエポキシ系等により固定されている。
【００８３】
絶縁カバー２と第１対物レンズ枠７３と各突き当て部２ｆと７３ａは、互いに同じ傾斜角でテーパに形成されており、シリコン系等の接着剤を塗布され、両者は突き当たるようになっている。
【００８４】
対物観察ユニット２１は、絶縁カバー２の手元側突き当て面２ｇまでの深さｒ２  ′を有する貫通孔２ｈ内で嵌合し、図示しない照明レンズユニット及び処置具挿通パイプも先端から絶縁カバー２の手元側突き当て面２ｇまでの深さｒ２  ′と同じ深さｒ３  ′，ｒ４  ′の貫通孔に嵌合する。
【００８５】
対物観察ユニット固定ビス１５は、絶縁カバー２の手元側突き当て面２ｇより先端に配置させるため、絶縁カバー２の凹部２ｊに先端部本体１の凸部１ｊを挿入し、先端部本体１の凸部１ｊ内に設けたネジ孔１ｂに螺合するようになっている。
【００８６】
前記構成では、接続パイプ７１は、絶縁筒７２により先端部本体１から絶縁される。また先端部本体１の凸部１ｊと絶縁カバー２の凹部２ｊによって、絶縁カバー２の突き当て面２ｇより先端側に対物観察ユニット固定ビス１５を配置できる。
【００８７】
本実施例では、絶縁カバー２と第１対物レンズ枠７３の各突き当て部２ｆと７３ａは互いに同じ角度のテーパ部で突き当たることにより、第１対物レンズ枠７３の先端側露出部７３ｂは、絶縁カバー２との嵌合部で隙間が形成されない。よって、テーパ部に塗布されたシリコン系等の接着剤の露出がない。
【００８８】
また接続パイプ７１が先端部本体１から絶縁筒７２によって絶縁されるため、対物洗浄ノズル３１の軸部に絶縁筒を組付ける必要がない。従って、第１実施例で示すように先端径が小径化できる。他に、絶縁カバー２のノズル用貫通孔３を経由せずに、接続パイプ７１に直接、対物洗浄ノズル３１を組付けることができる。
【００８９】
これによって送気または送水のすくなとも一方がなされる流体管路の接続が減り、接続による管路の段差が減ることから管路へのブラッシング等の洗浄が容易となり管路の洗浄性が向上する。
【００９０】
その他の構成及び作用効果は、第１実施例と同様で、説明を省略する。
【００９１】
図１１ないし図１７は本発明の第３実施例に係り、図１１は内視鏡挿入部先端の縦断面図、図１２は対物光学系を含む部分拡大断面図、図１３は図１１のＢ−Ｂ線断面図、図１４は係止ピンとノズルの係止を示す部分拡大断面図、図１５は図１４と異なる構成の部分拡大断面図、図１６（ａ）はノズルの上面図、図１６（ｂ）はノズルの左４５度側面図、図１６（ｃ）はノズルの右４５度側面図、図１７はノズルの縦断面図である。
【００９２】
図１に示す第１実施例において、絶縁カバー突き出し凸部５は絶縁カバー２と一体で構成されているが、図１１に示す本実施例の絶縁カバー突起部５１は、絶縁カバー２と別体で構成されている。この突起部５１の材質は、絶縁カバー２と同じ材質の樹脂、例えばポリサルフォン等でも、それと異なる樹脂、例えばエポキシ樹脂等でも良い。
その他、第１実施例と同様の構成及び作用については、同じ符号を付して説明を省略すると共に、異なる点についてのみ説明する。
【００９３】
前記絶縁カバー突起部５１は接着剤、例えばエポキシ系等により絶縁カバー２のノズル用貫通孔３に内径の中心を合わせて接着・固定される。これによりノズル用貫通孔３は、絶縁カバー２と絶縁カバー突起部５１により形成され、その長さはｒ１  となる。
【００９４】
図１２の詳細図に示すように、前記絶縁カバー２は前記対物レンズ枠２３と嵌合長ｒ２  で嵌合する。前記嵌合において対物レンズ枠２３の先端と対向する位置に、絶縁カバー２には先端から順に絶縁カバー段２ｃと絶縁カバー段２ｄの２つの段差が設けられている。
【００９５】
本実施例の対物レンズ枠２３は、図６に示す第１実施例のものと異なり、段２３ｃが１つ設けられているのみである。
【００９６】
前記絶縁カバー２の２つの段差を境界として、先端から隙間１６と隙間１７が形成される。尚、前記隙間は絶縁カバー２によらず対物レンズ枠２３に設けた段差によって形成されるものでも良い。
前記隙間１７には接着剤、例えばシリコン系等が充填される。隙間１６には段差を境界として接着剤、例えばエポキシ系等が気密的に充填される。
【００９７】
次に、図１１のＢ−Ｂ線断面である図１３に示すように、ノズル用貫通孔３に装着された前記ノズル３７は、そのノズル干渉部３７ａが前記貫通孔２ｅに挿入された係止ピン５２のピン先端部３８ａと係合し、係止されるようになっている。
【００９８】
図１４に示すように、係止ピン５２は、樹脂材例えばポリサルフォン等からなるピンカバー５３と、金属材からなるピン干渉部５４とからなる２体構造で、これらが接着剤例えばエポキシ系等により固定される。ピン干渉部５４とノズル干渉部３１ａの係合・係止に関する構造は、第１実施例の図９に示す構成と同じである。
【００９９】
一方、図１４の構成の変形例である図１５に示す係止ピン５６は、図１４と同じ２体構造であるが、前記ノズル３１のノズル干渉部３１ａに係合するピン先端部３２ｂを有するピン干渉部５５を有する点で異なっている。ピン干渉部５５とノズル干渉部３１ａの係合・係止の構造は、第１実施例の図８に示す構成と同じである。
【０１００】
図１６（ａ）〜（ｃ）には、対物洗浄ノズル３７の外観形状を示している。図１６（ａに示す前記対物洗浄ノズル３７の頭部は、その半分を占有する斜面部３７ｂと、ほぼ中央に位置する平面部３７ｃと、斜面部３７ｂのほぼ反対側に位置する円錐部３７ｄとにより構成されている。本実施例において、対物洗浄ノズル３７は、斜面部３７ｂと反対側に位置する平面部３７ｄの下部側方において径方向に沿って形成された開口部３７ｅを設けている。前記斜面部３７ｂは、図１７に示すように、絶縁カバー２の外周方向に向けて配置している。なお、この方向に配置を限定するものではなく、斜面部３７ｂを３面以上設けても良い。
【０１０１】
前記構成では、絶縁カバー２に設けた対物洗浄ノズル３１と接続パイプ３３を支持するノズル用貫通孔３は、貫通孔を有する絶縁カバー突起部５１を連結することで長さがｒ１  となる。
【０１０２】
また、図１４又は図１５で示される係止ピン５２又は５６を絶縁カバー２から抜去する時は、ピンカバー５３に形成された薄肉部５３ａを針状の棒具で破壊する。そして、ピン干渉部５４又はピン干渉部５５に設けた、引っかけ孔５４ａが露出するまで、ピンカバー５３をピン干渉部５４又はピン干渉部５５から剥離する。
露出した引っかけ孔５４ａに前記棒具等を挿入し、ピン干渉部５４又はピン干渉部５５を絶縁カバー２より引き出す。
一方、対物洗浄ノズル３７の頭部に乗る水滴は、斜面部３７ｂを介して滑り落ちる。
【０１０３】
本実施例では、絶縁カバー２は、絶縁カバー突起部５１が別部品になることによってノズル用貫通孔３の全長が短くなる。短くなることによって、絶縁カバー２の金型成形時、ノズル用貫通孔３を成形する金型に設けるピンにかかる離型時の抵抗が減り、絶縁カバーの良好な加工性を達成できる。
【０１０４】
また絶縁カバー突起部５１は、形状が単純な円筒形であるため、金型成形でも切削加工でも加工でき、ノズル用貫通孔３は自由に長くできる。よって、絶縁カバー２と絶縁カバー突起部５１の２つの部材によって構成されるノズル用貫通孔３の全長ｒ１  は自由に長さを設定できる。
【０１０５】
これによって対物洗浄ノズル６の軸部長さが変化しても、絶縁に必要な長さｒ１  を自由に設定できる。またノズル用貫通孔３で形成される対物洗浄ノズル３１と接続パイプ３３の間の管路３９は、絶縁カバー２と同じ樹脂で形成されると、毛の硬い洗浄ブラシで洗浄すると表面に細いキズがつく可能性がある。この細いキズにより管路３９は、汚物の付着等の悪影響を受ける可能性がある。従って、管路３９を形成する絶縁カバー突起部５１を絶縁カバー２より表面硬度の高い樹脂により形成することで、洗浄ブラシによるキズが生じるのを防げる。
【０１０６】
一方、図１４及び図１５に詳細を示す係止ピン５２又は５６は、対物洗浄ノズル３７又は対物洗浄ノズル３１と干渉するピン干渉部５４又はピン干渉部５５を、破壊強度の高い金属材にする。これにより、図８及び図９に示す構成の係止ピンより、絶縁カバー２と対物洗浄ノズル３１又は対物洗浄ノズル３７を高い力量での係止が可能となる。
【０１０７】
また、対物レンズ枠２３と絶縁カバー２との嵌合部は、段差をどちらか一方に設けても一方の段差を境界に隙間１６と隙間１７による２つの隙間が形成され、その段差を境界にして異なる接着剤の塗布が可能となる。従って、図６による第１実施例の場合と同じく、良好な補修交換性と良好な洗浄性を兼ね備えることができる。
【０１０８】
対物洗浄ノズル３７の頭部に斜面部３７ｂを設けることにより、前記対物洗浄ノズル３７に水滴が乗ることを防ぐことができる。斜面部３７ｂが絶縁カバー２の外周部と滑らかにつながれることにより、体腔内への先端部８３の挿入性と安全性を高めることができる。と共に、斜面部３７ｂと絶縁カバー２との間に体腔内の汚物が引っかかることを防止することができ、洗浄時間を短縮できる。
【０１０９】
［付記］
以上詳述したように本発明の実施態様によれば、以下のような構成を得ることができる。すなわち、
（１）挿入部先端を構成する金属製の先端部本体を電気絶縁性の絶縁カバーで被覆すると共に、前記絶縁カバーに送気または送水の少なくとも一方がなされる流体管路を構成するためのノズル用貫通孔を設け、このノズル用貫通孔には送気または送水の少なくとも一方がなされる金属製のノズルを嵌合し、前記挿入部に連結される操作部を有する内視鏡において、前記絶縁カバーは、前記ノズル用貫通孔が貫通される部分を、このノズル用貫通孔に嵌合される前記ノズルの操作部側端部よりも操作部側に突出して構成する。
【０１１０】
付記１に記載の構成では、先端部本体を金属により形成し、その外部露出表面を電気絶縁性の絶縁カバーで被覆した内視鏡において、ノズルの操作部側端部よりも操作部側に突出するように形成される絶縁カバーのノズル用貫通孔に、金属製の前記ノズルを嵌合することで、ノズルを絶縁カバーによって先端部本体から絶縁して配置する。この構成によれば、ノズルを絶縁筒で被覆する必要がなく先端部本体から絶縁でき、内視鏡先端径の細径化が可能であり、患者の苦痛が軽減できるとともに良好な挿入性を得ることができる。
【０１１１】
（２）前記絶縁カバーには、対物観察ユニット、照明レンズユニット、または処置具挿通用管の少なくとも一つを支持するための一以上のカバー側貫通孔を設け、この貫通孔の軸方向の長さより、前記ノズル用貫通孔の軸方向の長さを長く形成する付記１に記載の内視鏡。
【０１１２】
（３）金属製の先端部本体に二以上の本体側貫通孔を設け、この本体側貫通孔と前記絶縁カバーのカバー側貫通孔及びノズル用貫通孔とが対向し連通するように配置されると共に、こけらの貫通孔に対物観察ユニット、照明レンズユニット、または処置具挿通用間のすくなとも一つのが支持されており、これらを着脱自在とする係止部材の装着部を前記絶縁カバーのノズル用貫通孔の操作部側端部より先端側に配置している付記２に記載の内視鏡。
【０１１３】
（４）前記絶縁カバーは、少なくとも二体の部材で構成される付記１に記載の内視鏡。
【０１１４】
（５）前記絶縁カバーは、前記貫通孔が貫通される部分であって操作部側に突出する部分のうち少なくとも操作部側端を含む一部と、前記絶縁カバーの他の部部とは別体で構成される付記４に記載の内視鏡。
【０１１５】
付記５に記載の構成では、絶縁カバーの成形上問題が出やすい、流体管路用のためのノズル用貫通孔の突出部分を、他の部分とは別体で構成することで、絶縁カバーの加工が容易となり安価な内視鏡を提供できる。
【０１１６】
（６）前記絶縁カバーは同じ絶縁材質の材料で構成する付記４または付記５に記載の内視鏡。
【０１１７】
付記６に記載の構成では、少なくとも二体で構成された絶縁カバーを同じ樹脂で構成することにより、全て同じ安価な金型成形が可能となり、安価な内視鏡を提供できる。
【０１１８】
（７）前記絶縁カバーは、異なる絶縁材質の材料で構成する付記４または付記５に記載の内視鏡。
【０１１９】
付記７に記載の構成では、流体管路用のためのノズル用貫通孔の突出部分を、他の部分とは、別の材質の材料例えば外部に露出する他の部分よりも表面硬度の高い樹脂で構成することで、絶縁カバーのノズル用貫通孔に傷がつきにくく、汚物が付着しにくい内視鏡を提供ができる。
【０１２０】
（８）前記絶縁材質は樹脂である付記７に記載の内視鏡。
【０１２１】
（９）挿入部先端を構成する金属製の先端部本体を電気絶縁性の絶縁カバーで被覆すると共に、送気または送水の少なくとも一方がなされる流体管路を構成するためのノズル用貫通孔を少なくとも前記絶縁カバーに設け、このノズル用貫通孔には送気または送水の少なくとも一方がなされる金属製のノズルを着脱自在に嵌合する内視鏡において、
前記ノズルの側部に係合溝を形成しており、
一方、前記先端部本体または絶縁カバーの少なくとも一方を貫通して前記挿入部先端外周に一端が開口し、かつ他端が嵌合される前記ノズルの係合溝の位置であって前記ノズル用貫通孔に開口する係止ピン用貫通孔を設けていると共に、
前記ノズルを前記ノズル用貫通孔に挿入し、前記係止ピン用貫通孔に前記係止ピンを挿入し前記係合溝に係合させて前記係止ピンを係止する内視鏡。
【０１２２】
付記９に記載の構成では、ノズルを固定するため内視鏡外周側の開口からノズルを嵌合するノズル用貫通孔に開口する係止ピン用貫通孔に係止ピンを挿入し、ノズルの係合溝に係止ピンの先端を係合させノズルを係止する。
【０１２３】
これによってノズルは、係止ピンが嵌合する絶縁カバーまたは先端部本体中に係止される。
【０１２４】
付記９に記載の構成によれば、先端カバーまたは先端部本体からの対物洗浄ノズルの固定構造をネジ孔からノズル用貫通孔に変更できることにより、貫通孔と先端部本体または絶縁カバーの外周との肉厚は、従来例のネジ孔の構成より小さく設定でき、内視鏡先端部径の細径化が可能となる。これにより患者の苦痛を低減し、良好な挿入性を得ることができる。
【０１２５】
（１０）付記９に記載の内視鏡であって、前記係止ピンの前記挿入部先端外周側の端面形状を、前記先端部本体の外周面または絶縁カバーの外周面と段差なく滑らかとなるように形成する。
【０１２６】
付記１０に記載の構成では、前記係止ピンの外表面側の端面の形状を係止ピン組付時にその周囲の内視鏡先端部外周と凹凸なく滑らかに組付くように、先端部本体の外周面または絶縁カバーの外周面内視鏡と一致させる。
【０１２７】
従来のネジ孔構造では、ビス固定時、ビスと内視鏡外周部までの隙間に接着剤を充填していた。この接着剤は表面が荒れやすいために内視鏡の使用時において、汚物が付着した場合には洗浄に時間がかかっていた。これに対して、付記Ｂ２に記載の構成によれば、ノズルを固定する際に、挿入する係止ピンは回転の必要がなく絶縁カバー外周面形状と一致させることができることから、係止ピンと内視鏡外周部までに隙間が生ぜず、接着剤を充填する必要がない。このように接着剤の充填を不要としたことで、内視鏡外周部に表面が荒れやすい接着剤が露出せず、洗浄性が向上する。
【０１２８】
（１１）付記９に記載の内視鏡であって、前記係止ピンの材質を先端部本体または絶縁カバーと同じ材質とする。
【０１２９】
付記１１に記載の構成では、係止ピンの材質を絶縁カバーと一致させたことによって係止ピンの加工が、絶縁カバーと同じ金型成形で可能となり、係止ピンが安価に加工可能となる。
【０１３０】
（１２）付記９に記載の内視鏡であって、前記係止ピンは、内視鏡先端外周側近傍に係止ピンの軸方向と直交する中空部を設けてある。
【０１３１】
付記１２に記載の構成では、前記外周面側の端面近傍に係止ピンの軸方向と直交する中空部を設け、内視鏡先端外周面側端面を薄肉にする。なお、中空部は貫通孔または非貫通孔で構成できる。前記係止ピンの外周面側端面を針状の棒具で破壊すると、破壊面と係止ピンの中空部内面によって形成される引っかかりに前述の治具を引っかけて係止ピンを引き出す。
係止ピンを引き出すことにより、対物洗浄ノズルは、先端部本体または絶縁カバーから引き出すことができ、ノズルを容易に着脱できる。すなわち、安価で単純な構造で、係止ピンの抜去を容易に行うことができる。
【０１３２】
（１３）付記９に記載の内視鏡であって、前記係止ピンを少なくとも内視鏡先端外周側構成部分と前記ノズルを係止する係止側構成部分とを、別部材で構成し結合している。
【０１３３】
付記１３に記載の構成は、別体に構成することによってノズルと係合・係止する係止側構成部分のみ交換でき、ピン全体を交換しないですむので材料費が節約できる。
【０１３４】
（１４）付記１３に記載の内視鏡であって、前記係止ピンは、別部材の各構成部材を異なる材質で構成する。
【０１３５】
付記１４に記載の構成では、係止ピンの各部材を異なる材質で構成し、係止ピンのノズルとの干渉部に強度の高い金属材等の使用をすることで、付記Ｂ３で示す場合より高い強度でノズルの係止ができる。
【０１３６】
また、付記１４には、係止ピンの各部材を異なる材質で構成しており、係止ピンの例えば外周側構成部分を破壊強度が低い樹脂製カバー部とし、ノズルと係合する係止側構成部分を破壊強度が高い金属製ノズル干渉部とし、例えば接着により固定して連結する。
樹脂製カバー部は、例えば付記１０のように、外表面側端面の形状を係止ピンの組付け時に周囲の内視鏡外周と凹凸なく組付くように構成し、内視鏡外周と一致させることができる。また、前記金属製ノズル干渉部には、付記１２と同様に中空部として例えば貫通孔を設け、針状の棒具で強度の低い樹脂製カバー部を破壊し、金属製ノズル干渉部の貫通孔を露出させる。この貫通孔が露出したら前記棒具を挿入してノズル干渉部を引き出すことで、ノズルを先端部本体または絶縁カバーから引き出すことができ、ノズルを容易に着脱できる。
【０１３７】
（１５）付記１３に記載の内視鏡であって、前記係止ピンは、前記内視鏡先端外周側構成部分を絶縁性の材料で構成する一方、前記係止側構成部分を硬質の部材で構成する。
【０１３８】
（１６）挿入部先端を構成する金属製の先端部本体を電気絶縁性の絶縁カバーで被覆すると共に、対物観察ユニット、照明レンズユニット、又は処置具挿通パイプのうち少なくとも一つを含む先端構成部材を、前記先端部本体に固定すると共に前記絶縁カバーに開口し前記先端構成部材に対応して設けられた貫通孔に装着し、かつ先端構成部材が前記貫通孔の開口より露出する内視鏡において、
前記先端構成部材と絶縁カバーとの間に隙間を形成すると共に、この隙間に対向する前記先端構成部材または絶縁カバーの少なくとも一方の側壁に、挿入部軸方向に沿って径方向に段差を設けると共に、前記隙間において前記段差を境界として前記軸方向に異なる接着剤を気密的に充填する内視鏡。
【０１３９】
付記１６に記載の構成では、例えば対物観察ユニットあるいは照明レンズユニット等を絶縁カバーに嵌合し接着剤で気密的に充填する部分において、先端構成部材と絶縁カバーの両者の気密接着面に挿入部軸方向に沿って、径方向の段差を設け、この段差の前後で異なる接着剤を充填している。
従って、仮に先端構成部材の補修交換が必要な場合でも、絶縁カバーに露出する側の接着剤を成形容易で表面を滑らかにし易いものを使用することにより、露出部分に汚物が付着しても容易に除去ができできる。
【０１４０】
（１７）付記１６に記載の内視鏡であって、前記段差は、前記隙間に対向する先端構成部材または絶縁カバーのいずれか一方のみの側壁に設けている。
【０１４１】
付記１７に記載の構成では、段差を絶縁カバーと先端構成部材のいずれ一方にのみ設けたので、他方は単純な円筒面で良いため、両方に段差を設けるものよりは簡単に製作できるため、安価でかつ仕様変更に係る期間を縮めることができる。
【０１４２】
（１８）付記１６に記載の内視鏡であって、前記段差より先端側には接着強度が大きな接着剤を充填する一方、前記段差より後端側には接着強度が小さな接着剤を充填する。
【０１４３】
付記１８記載の構成では、気密接着面の段差境界の前方で外部に露出する側は、接着強度が大きく例えば表面硬度が高い接着剤を使用する一方、後方の先端部本体側には接着強度が低く例えば表面硬度が低い接着剤を充填する。これにより、段差を境界にして接着剤の種類の使い分けと、接着強度の高い接着剤の接着範囲の調整作業ができる。
【０１４４】
すなわち、先端側に強度大の接着剤を充填しブラッシング等されても耐性面で強く、後端側に強度小の接着剤を充填しているのでリペアの作業をし易くできる。
【０１４５】
【発明の効果】
以上説明しように本発明の内視鏡によれば、ノズルを絶縁筒で被覆することなく先端部本体から絶縁できるので、内視鏡先端径の細径化が可能となり、これによって患者の苦痛が軽減できると共に良好な挿入性を得ることができるという効果がある。
【図面の簡単な説明】
【図１】図１ないし図９は第１実施例に係り、図１は内視鏡挿入部先端の縦断面図。
【図２】図２は内視鏡システムの概略構成図。
【図３】図３は照明系を含む挿入部先端の縦断面図。
【図４】図４はノズルを含む部分拡大断面図。
【図５】図５はチャンネルの開口端の部分拡大断面図。
【図６】図６は対物光学系を含む部分拡大断面図。
【図７】図７は図１のＡ−Ａ線断面図。
【図８】図８は係止ピンとノズルの係止を示す部分拡大断面図。
【図９】図９は図８と異なる構成の部分拡大断面図。
【図１０】図１０は第２実施例に係る内視鏡挿入部先端の縦断面図。
【図１１】図１１ないし図１７は第３実施例に係り、図１１は内視鏡挿入部先端の縦断面図。
【図１２】図１２は対物光学系を含む部分拡大断面図。
【図１３】図１３は図１１のＢ−Ｂ線断面図。
【図１４】図１４は係止ピンとノズルの係止を示す部分拡大断面図。
【図１５】図１５は図１４と異なる構成の部分拡大断面図。
【図１６】図１６（ａ）はノズルの上面図、図１６（ｂ）はノズルの左４５度側面図、図１６（ｃ）はノズルの右４５度側面図。
【図１７】図１７はノズルの縦断面図。
【符号の説明】
８０…内視鏡
８１…挿入部
８２…操作部
１…先端部本体
２…絶縁カバー
３…ノズル用貫通孔
５…突き出し凸部
３１…対物洗浄ノズル
【図１】
0003625883.tif 000002
【図２】
0003625883.tif 000003
【図３】
0003625883.tif 000004
【図４】
0003625883.tif 000005
【図５】
0003625883.tif 000006
【図６】
0003625883.tif 000007
【図７】
0003625883.tif 000008
【図８】
0003625883.tif 000009
【図９】
0003625883.tif 000010
【図１０】
0003625883.tif 000011
【図１１】
0003625883.tif 000012
【図１２】
0003625883.tif 000013
【図１３】
0003625883.tif 000014
【図１４】
0003625883.tif 000015
【図１５】
0003625883.tif 000016
【図１６】
0003625883.tif 000017
【図１７】
0003625883.tif 000018